(57)【要約】本発明は、端末、サイト及びサーバーを含む通信環境においてサイトに端末が接続する時間を計測するための方法に関する。この方法は、認証コードを生成して使用者のサーバーに送る段階、使用者のサーバーがメインのサーバーに使用者の認証を要求した場合使用者を認証する段階、使用者がサイトに接続する時刻を記録する段階、サイトが別のサイトに変更された時刻を記録する段階を含む。【選択図】図４
2004519777.tif 000002
【特許請求の範囲】
【請求項１】
通信網を通じてお互いに接続された使用者側の端末機、サイトのサーバー、及びサービス提供者のサーバーを含む通信環境で、使用者が前記使用者側の端末機を利用し、前記通信網を通じて前記サイトに接続している時間を測定する方法において、
前記サービス提供者のサーバーが、前記使用者に関する識別情報を参照し、既加入された会員であることが確認されれば、認証コードを生成し、これを使用者側の端末機に送る段階、
前記使用者側の端末機が、接続されている前記サイトのサーバーが使用者のアイディーと、前記認証コードをサービス提供者のサーバーに送り、使用者の認証を要請すれば、前記サービス提供者のサーバーが認証可否を決める段階、
前記接続されたサイトが既加入サイトリストに含まれているサイトであることを、前記使用者側の端末機が前記サービス提供者のサーバーに通知することに応答して、前記サービス提供者のサーバーが前記接続時点を記録する段階、
接続途中、前記接続されたサイトのアドレスの変更の際、前記変更されたアドレスが前記接続されたサイトのアドレスに含まれない場合、前記使用者側の端末機が変更時点に関する情報を前記サービス提供者のサーバーに送れば、前記サービス提供者のサーバーが前記変更時点に関する情報を参照して前記変更時点を記録する段階、
を含むサイト接続時間測定方法。
【請求項２】
前記認証コードが乱数として生成される、請求項１に記載のサイト接続時間測定方法。
【請求項３】
通信網を通じてお互いに接続された使用者側の端末機、サイトのサーバー、及びサービス提供者のサーバーを含む通信環境で、前記使用者側の端末機を利用し、前記通信網を通じて前記サイトに接続した時間を測定するため、前記使用者側の端末機で実行可能なプログラムが記録されたコンピューターの判読可能な記録媒体において、
使用者に関する識別情報を前記サーバーに送る段階、
前記識別情報により、前記使用者が前記サービス提供者の会員であることが確認され、前記サービス提供者のサーバーで生成された認証コードが送信されれば、前記認証コードを前記サイトのサーバーに送る段階、
前記サイトのサーバーから受信された使用者のアイディー及び前記認証コードに対して認証可否に対する情報を送れば、前記情報を受信する段階、
前記サーバーから既加入したサイトのリストに関する情報が受信されれば、前記リストに関する情報を記録する段階、
サイト接続用プログラムが起動されて前記サイトに接続することに応答し、前記接続されたサイトが前記既加入サイトリストに含まれた場合に限り、前記サイトへの接続開始時点を前記サーバーに通知する段階、
前記サイト接続用プログラムの接続アドレスが変更されることに応答し、変更されたアドレスが前記接続されたサイトに含まれるアドレスであるかを判断する段階、及び
前記判断結果、前記変更されたアドレスが前記接続されたサイトに含まれたアドレスではない場合に限り、前記アドレスが変更された時点に関する情報を前記サーバーに送る段階、
を含む過程を前記使用者側の端末機で行うようにするコンピューター実行可能なプログラムが記録されたコンピューター判読可能な記録媒体。
【請求項４】
前記接続開始時点を前記サーバーに通知する前記段階は、
前記サイト接続用プログラムが前記サイトに含まれたアドレスで接続を開始した後、前記アドレスに当たるページが、前記サイト接続用プログラムの表示画面に表示され始めた時点を接続開始時点として前記サーバーに通知する、
請求項３に記載のコンピューター実行可能なプログラムが記録されたコンピューター判読可能な記録媒体。
【請求項５】
前記端末機のシステムクロックに基づいた現在時間に関する情報を前記サーバーに送る段階をさらに含む、
請求項３に記載のコンピューター実行可能なプログラムが記録されたコンピューター判読可能な記録媒体。
【請求項６】
前記接続開始時点を前記サーバーに通知する段階は、
前記サイト接続用プログラムと連動されて実行されるサイト接続用プログラムプラグのプログラムが、前記サイト接続用プログラムが起動されることを感知して接続されたサイトのアドレスが送信されれば、これを受信する段階と、
前記送ったアドレスが前記既加入サイトリストに含まれた場合に限り、前記サイトへの接続開始時点を前記サーバーに通知する段階を含む、
請求項３に記載のコンピューター実行可能なプログラムが記録されたコンピューター判読可能な記録媒体。
【請求項７】
前記サイトは、ワールドワイドウェッブ（Ｗｏｒｉｄ Ｗｉｄｅ Ｗｅｂ）プロトコルに基づいたウェッブサイトであり、前記サイト接続用プログラムはウェッブブラウザープログラムである、
請求項３〜６のいずれかに記載のコンピューター実行可能なプログラムが記録されたコンピューター判読可能な記録媒体。
【請求項８】
前記接続開始時点を前記サーバーに通知する段階は、
前記サイト接続用プログラムと連動され、内容が変更されるリソースファイルが、前記サイト接続用プログラムが起動されることを感知して接続されたサイトのアドレスを送れば、これを受信する段階と、
前記送ったアドレスが前記既加入サイトリストに含まれた場合に限り、前記サイトへの接続開始時点を前記サーバーに通知する段階を含む、
請求項３に記載のコンピューター実行可能なプログラムが記録されたコンピューター判読可能な記録媒体。
【請求項９】
使用者がサイトのアドレスを入力すれば、前記入力されたサイトが遮断対象に既入力されているのかを判断する段階と、
前記入力サイトが遮断対象に既入力されていれば、前記サイトへの接続を遮断して前記入力サイトが遮断対象ではなければ、前記サイトに接続させる段階をさらに含む、
請求項３に記載のコンピューター実行可能なプログラムが記録されたコンピューター判読可能な記録媒体。
【請求項１０】
サイトに接続する時間が、所定の時間範囲を脱する場合に前記サイトの接続を終了させる段階をさらに含む、
請求項３に記載のコンピューター実行可能なプログラムが記録されたコンピューター判読可能な記録媒体。
【請求項１１】
前記接続を終了させる段階は、前記サイト接続用プログラムを制御することで行われる、
請求項１０に記載のコンピューター実行可能なプログラムが記録されたコンピューター判読可能な記録媒体。
【請求項１２】
通信網を通じてお互いに接続された使用者側の端末機、サイトのサーバー、及びサービス提供者のサーバーを含む通信環境で、前記使用者側の端末機を利用し、前記通信網を通じて前記サイトに接続した時間を測定するための前記サービス提供者のサーバーで実行可能なプログラムが記録されたコンピューター判読可能な記録媒体において、
（１）前記使用者側の端末機から受信された前記使用者に関する識別情報を参照し、前記使用者が会員か否かを判断する段階、
（２）前記使用者が会員である場合、認証コードを生成して前記使用者側の端末機で送る段階、
（３）前記使用者が接続したサイトのサーバーから認証要請を受信すれば、前記認証コードに対する認証作業をする段階、
（４）前記認証作業の後、前記サイトのサーバーで会員のログイン許可の可否に対する情報を提供する段階、
（５）前記段階でログインが許可されれば、前記使用者が既加入したサイトのリストに関する情報を前記使用者側の端末機で送る段階、
（４）前記使用者側の端末機から、前記サイトへの接続事実を通知されることに応答して前記接続時点を記録する段階、
（ｃ）前記使用者側の端末機から送信された前記変更された時点に関する情報を参照して前記変更時点を記録する段階、
を含む過程を前記サーバーで行うようにするコンピューター実行可能なプログラムが記録されたコンピューター判読可能な記録媒体。
【請求項１３】
前記接続時点を記録する段階は、前記接続者の認証過程処理が完了した時点を接続開始時点として記録することである、
請求項１２に記載のコンピューター実行可能なプログラムが記録されたコンピューター判読可能な記録媒体。
【請求項１４】
前記プログラムは、
前記接続時点を記録する段階で記録された接続時点と、前記変更時点を記録する段階で記録された変更時点と、前記時差を記録する段階で記録された時差を利用し、前記端末機が前記サイトに接続した時間を算定する段階をさらに実行する、
請求項１３に記載のコンピューター実行可能なプログラムが記録されたコンピューター判読可能な記録媒体。
【請求項１５】
前記サイトは、ワールドワイドウェッブ（Ｗｏｒｉｄ Ｗｉｄｅ Ｗｅｂ）プロトコルに基づいたウェッブサイトであり、前記サイト接続用プログラムはウェッブブラウザープログラムである、
請求項１２〜１４のいずれかに記載のコンピューター実行可能なプログラムが記録されたコンピューター判読可能な記録媒体。
【請求項１６】
前記認証コードは乱数である、
請求項３に記載のコンピューター実行可能なプログラムが記録されたコンピューター判読可能な記録媒体。
【請求項１７】
通信網を通じてお互いに接続された使用者側の端末機、コンテンツを提供するサイトのサーバー、及びサービス提供者のサーバーを含む通信環境で前記使用者側の端末機を利用し、前記通信網を通じて前記サイトに接続した時間を測定するための前記使用者側の端末機で実行可能なプログラムが記録されたコンピューター判読可能な記録媒体において、
使用者に関する識別情報を前記サーバーに送る段階、
前記サーバーから既加入したサイトのリストに関する情報が受信されれば、前記情報を記録する段階、
サイトサーバー接続用プログラムが起動され、前記サイトのサーバーに接続することに応答して、前記接続されたサイトが前記既加入サイトリストに含まれた場合に、前記サイトサーバーへの接続開始時点を測定する段階、
前記サイトサーバー接続用プログラムの接続アドレスが変更されることに応答して、変更されたアドレスが前記接続されたサイトのサーバーに含まれるアドレスであるかを判断する段階、
前記判断結果、前記変更されたアドレスが前記接続されたサイトのサーバーに含まれたアドレスではない場合に限り、前記アドレスが変更された時点を測定する段階、
前記接続開始時点及び前記アドレス変更時点の測定結果に基づき、前記サイトのサーバーへの接続時間に関する情報を前記サービス提供者のサーバーに送る段階
を含む過程を前記使用者側の端末機で行うようにするコンピューター実行可能なプログラムが記録されたコンピューター判読可能な記録媒体。
【請求項１８】
前記使用者端末機のシステムカウンターをサーバー時間に合わせるようにする段階を含む過程を前記使用者側の端末機でさらに行うようにする、
請求項１７に記載のコンピューター実行可能なプログラムが記録されたコンピューター判読可能な記録媒体。
【請求項１９】
前記接続時間に関する情報をイベント発生の時毎にサービス提供者のサーバーに送る、
請求項１７または１８に記載のコンピューター判読可能な記録媒体。
【請求項２０】
前記接続時間に関する情報のレポートを集めてサービス提供者のサーバーに送る、
請求項１７または１８に記載のコンピューター判読可能な記録媒体。
【発明の詳細な説明】
【０００１】
【発明の属する技術分野】
本発明は、インターネット上から一つのアイディーで、多くのウェッブサイトの他のアイディーを統合するシステムに関することであり、具体的には、このようなシステムにおいて、多くのウェッブサイトの接続時間測定方法と、二重ログイン及び特定サイト遮断するという方法を含むシステムに関するものである。
【０００２】
【従来の技術】
従来には、インターネット上のウェッブサイトに使用者が接続してコンテンツを提供されようとする場合、特に、有料に提供される情報のサイトの場合に、使用者に提供される場合、課金方式に関する多様なソリューションがあった。
その中で、一番広く使われた方式は、コンテンツを有料で提供するウェッブサイトに加入した使用者に一律的に課金することである。
また、多数のウェッブサイトの課金を代行するサービスを行うウェッブサイトも登場している。このような課金代行サービスサイトは、課金代行を依頼した提携会社ウェッブサイトに対して、課金を代行して使用者たちから手数料を一律的に取り立てる。また、各々のウェッブサイトへの使用者接続回収に関する資料に基づき、各々の提携会社への手数料配分率を決めたりもする。
【０００３】
しかし、前述のような従来の課金方式においては、ウェッブサイトに対して一律的に課金が行われるのみであり、良質のコンテンツを提供して使用者接続が頻繁なウェッブサイトと、そうではないウェッブサイトとの課金の差別を与えることができないという問題点を抱えていた。
このように従来の課金システムは、サーバーで一律的に課金するシステムであり、ＩＰプロトコルの非連結型的の特性上、正確な滞留時間を記録することが不可能であり、クライアントプログラムの問題点のため、単純にサーバー接続者に限ってのみ一律的に課金する形態に過ぎなかったのである。
【０００４】
【発明が解決しようとする課題】
本発明は、前述のような従来技術の問題点を解決しようとすることであり、多数の提携会社のログインアイディーを一つで統合するウォン−パスアイディー機能と、自動ログオン機能を提供することをその目的にする。さらに、多数のウェッブサイトの課金を代行しながら、使用者接続に対する合理的な課金方式を提供することをも目的にする。また、前記ログインの際、個人の身柄の情報流出危険を極小化することができるように、二重ログイン機能を提供することも本発明の目的の範疇に含まれており、かつ、特定サイトに接続することを防止する効果も提供する。
【０００５】
【課題を解決するための手段】
このような目的を果たすために、本発明による通信網を通じてお互いに接続された使用者側の端末機、サイトのサーバー、及びサービス提供者のサーバーを含む通信環境で、使用者が前記使用者側の端末機を利用し、前記通信網を通じて前記サイトに接続した時間を測定する方法は、（１）前記サービス提供者のサーバーが、前記使用者に関する識別情報を参照して既加入された会員であるのかが確認されれば、認証コードを生成してこれを使用者側の端末機に送る段階、（２）前記使用者側の端末機が、接続されている前記サイトのサーバーが使用者のアイディーと、前記認証コードをサービス提供者のサーバーに送って使用者認証を要請すれば、前記サービス提供者のサーバーが認証可否を決める段階、（３）前記接続されたサイトが、既加入サイトリストに含まれているサイトであるかを前記使用者側の端末機が前記サービス提供者のサーバーに通知することに応答して、前記サービス提供者のサーバーが前記接続時点を記録する段階、（４）前記接続されたサイトのアドレスの変更の際、前記変更されたアドレスが前記接続されたサイトのアドレスに含まれない場合に、前記使用者側の端末機が変更時点に関する情報を前記サービス提供者のサーバーに送れば、前記サービス提供者のサーバーが前記変更時点に関する情報を参照して前記変更時点を記録する段階を含む。
【０００６】
本発明による、通信網を通じてお互いに接続された使用者側の端末機、サイトのサーバー、及びサービス提供者のサーバーを含む通信環境で前記使用者側の端末機を利用し、前記通信網を通じて前記サイトに接続した時間を測定するための前記使用者側の端末機で実行可能なプログラムが記録されたコンピューター判読可能な記録媒体は、（１）使用者に関する識別情報を前記サーバーに送る段階、（２）前記識別情報により前記使用者が前記サービス提供者の会員であるのかが確認されて前記サービス提供者のサーバーで生成された認証コードが送信されれば、前記認証コードを前記サイトのサーバーに送る段階、（３）前記サイトのサーバーから受信された使用者のアイディー及び前記認証コードに対して認証可否に対する情報を送れば、前記情報を受信する段階、（４）前記サーバーから既加入したサイトのリストに関する情報が受信されれば、前記リストに関する情報を記録する段階、（５）サイト接続用プログラムが起動されて前記サイトに接続することに応答して、前記接続されたサイトが前記既加入サイトリストに含まれた場合に限り、前記サイトへの接続開始時点を前記サーバーに通知する段階、前記サイト接続用プログラムの接続アドレスが変更されることに応答して、変更されたアドレスが前記接続されたサイトに含まれるアドレスであるのかを判断する段階、及び（６）前記判断結果、前記変更されたアドレスが前記接続されたサイトに含まれたアドレスではない場合に限り、前記アドレスが変更された時点に関する情報を前記サーバーに送る段階を含む過程を前記使用者側の端末機で行うようにするコンピューター実行可能なプログラムが記録されている。
【０００７】
本発明による、通信網を通じてお互いに接続された使用者側の端末機、サイトのサーバー、及びサービス提供者のサーバーを含む通信環境で前記使用者側の端末機を利用し、前記通信網を通じて前記サイトに接続した時間を測定するための前記サービス提供者のサーバーで実行可能なプログラムが記録されたコンピューター判読可能な記録媒体は、（１）前記使用者側の端末機から受信された前記使用者に関する識別情報を参照して、前記使用者が会員か否かを判断する段階、（２）前記使用者が会員である場合、認証コードを生成して前記使用者側の端末機で送る段階、（３）前記使用者が接続したサイトのサーバーから認証要請を受信すれば、前記認証コードに対する認証作業をする段階、（４）前記認証作業後、前記サイトのサーバーで会員のログイン許可可否に対する情報を提供する段階、（５）前記段階でログインが許可されれば、前記使用者が既加入したサイトのリストに関する情報を前記使用者側の端末機で送る段階、（４）前記使用者側の端末機から前記サイトへの接続事実を通知受けることに応答して前記接続時点を記録する段階、（ｃ）前記使用者側の端末機から送信された前記変更された時点に関する情報を参照して前記変更時点を記録する段階を含む過程を前記サーバーで行うようにするコンピューター実行可能なプログラムが記録されている。
【０００８】
【発明の実施の形態】
１．本発明を適用するための通信環境
図１は、本発明が適用されるための通信環境を図示したブロック図である。
図１に図示されたように、本発明はインターネット１０１を通じてアクセス可能あり、コンテンツを提供する多数のウェッブサイトのサーバー１０５，１０７各々に対して、使用者が使用者側の端末機１１１を通じて、コンテンツを提供するウェッブサイトのサーバー１０５，１０７に接続した後接続を維持している期間を測定する方法に関するものである。
【０００９】
図１には、本発明に適用される通信網として、インターネット１０１が図示されているが、本発明はインターネットプロトコルに基づいたインターネット１０１にのみ適用されるのではない。即ち、本明細書で言及されるインターネット１０１は、インターネット１０１に対応される機能を遂行することができる各種通信網、例えば、イントラネット、近距離通信網、遠距離通信網、ローカルエリアネットワーク、無線通信網などを全部包括する広義の概念に解釈されなければならない。
【００１０】
また、以下の説明では、コンテンツを提供するウェッブサイトのサーバー１０５，１０７及び、前記ウェッブサイトのサーバー接続用プログラムとしてウェッブブラウザープログラムを例として説明する。しかし、本発明の概念が、ウェッブサイトのサーバー及びウェッブブラウザープログラムにのみ適用されることで限定解釈されてはいけない。以下の説明からも分かるように、本発明の概念は、各種通信網を通じて接続可能なすべての種類の位置と、前記位置に接続するために使用可能な接続用プログラムに適用することができる。本明細書では、通信網を通じて接続可能な位置を「サイト」と称する。また、端末機がサイトにアクセスしてダウンロードし、端末機に表示することができる形態のデータを「ページ」と称する。本明細書で、サイトのサーバーがワールドワイドウェップ（Ｗｏｒｌｄ Ｗｉｄｅ Ｗｅｂ；ｗｗｗ）プロトコルに基づいたウェッブサイトのサーバーである場合には、前記接続用プログラムはウェッブブラウザープログラムであり、ページはウェプページである。以下の説明では、本明細書で、サイトのサーバーがウェッブサイトのサーバーである場合を例として説明する。
【００１１】
本発明の概念を具現するための第１実施例では、サービス提供者のサーバー１２１が、使用者が特定のウェッブサイトに接続した時間を測定する。また、サーバー１２１では、管理プログラムが実行される。サーバー１２１は、サーバーに登録された使用者に関する情報を記録するための使用者データベース１２３及びサーバーに登録されたウェッブサイトに関する情報を記録するためのウェッブサイトデータベース１２５を具備するのが望ましい。本明細書では、前記サーバー１２１を使い、本発明による方法を実施する者を「サービス提供者」と称する。
【００１２】
本発明の第１実施例によれば、まず、使用者はサーバー１２１に接続して使用者登録過程を遂行する。この登録過程で、使用者が入力した使用者に関する情報はサーバー１２１の使用者データベース１２３に記録される。使用者データベース１２３には、サーバー１２１に登録された使用者各々に対して使用者が加入した提携会社のリスト、各々の提携会社のコンテンツを提供するサーバーに対する接続開始時点及び接続終了時点などが記録される。
使用者側の端末機１１１には、サーバー１２１から通信網１０１を通じて提供されるか、または別途の経路を通じて供給されるエージェントプログラム３０５及び／またはウェッブブラウザープラグインプログラムが実行されるのが望ましい。
【００１３】
図３は、本発明によるエージェントプログラム３０５及びウェッブブラウザープラグインプログラムが、使用者側の端末機１１１で実行される際、オペレーティングシステム（ＯＳ）及びウェッブブラウザープログラムとの命令体系を図示した体系図である。図３に図示されたように、使用者側の端末機１１１の駆動及び入出力装置とのインタフェースのためのオペレーティングシステム３０１上に、インターネットウェッブサイトブラウジングのためのウェッブブラウザープログラム３０３が実行される。エージェントプログラム３０５も、オペレーティングシステム３０１の管理下に実行されるのが望ましい。ウェッブブラウザープラグインプログラム３０７は、ウェッブブラウザープログラム３０３と連動されてウェッブブラウザープログラム３０３の管理下に実行されるのが望ましい。
【００１４】
望ましくは、エージェントプログラム３０５は、使用者側の端末機１１１のオペレーティングシステム（ＯＳ）の管理下に端末機１１１上で実行された状態でサーバー１２１の管理プログラムと通信しながら、使用者端末機１１１がコンテンツを提供するウェッブサイトのサーバー１０５に接続した時間を測定する。使用者登録の完了、または登録と共に使用者は、サーバー１２１から本発明によるエージェントプログラム３０５をダウンロードすることができる。使用者は、サーバー１２１からエージェントプログラム３０５と、ウェッブブラウザーと共に起動されるプラグインプログラム３０７をダウンロードすることが望ましい。
【００１５】
エージェントプログラム３０５及びウェッブブラウザープラグインプログラム３０７は、使用者側の端末機１１１のコンピューター機種及び駆動されるオペレーティングシステム（ＯＳ）で合わせて使用者側の端末機１１１に設置されて実行されることができる形態である。
望ましい実施例によれば、エージェントプログラム３０５は、オペレーティングシステム（ＯＳ）の管理下に常時待機モードで実行されるか、またはコンテンツを提供するウェッブサイトのサーバーに接続するためのウェッブブラウザープログラムの起動と共に起動される。ウェッブブラウザープラグインプログラムは、ウェッブブラウザーの動作に連動されて実行される。
【００１６】
また、本発明による、コンテンツを提供するウェッブサイトのサーバー接続時間測定サービスを提供されるためのウェッブサイトのサーバー１０５，１０７もサーバー１２１に登録過程を遂行するのが望ましい。このような登録過程を通じて、コンテンツを提供するウェッブサイトのサーバーに関する情報がサーバー１２１のウェッブサイトデータベース１２５に記録される。
［ウェッブブラウザー起動及び初期化］
ます、使用者が、端末機１１１に設置されたウェッブブラウザープログラム３０３を実行する（２０１）。これと共に、またはウェッブブラウザープログラム３０３実行以前に、エージェントプログラム３０５が端末機１１１でオペレーティングシステム３０１の管理下に待機モードで実行中であることが望ましい。また、使用者端末機１１１には、使用者を識別するための識別情報が記録されていることが望ましい。使用者に関する識別情報はリソース（ｒｅｓｏｕｒｃｅ）の形態として使用者端末機に記録されており、エージェントプログラムが使用者の認証過程を遂行して認証が完了した使用者である場合にのみ、判読及び送信を可能にさせることが望ましい。
【００１７】
エージェントプログラム３０５が起動されれば、起動と共に、またはその後にエージェントプログラム３０５は、サーバー１２１にアクセスし、ウェッブブラウザープログラム３０３を実行させた使用者の識別情報をサーバー１２１に送る（２０３）。サーバー１２１は、送信された識別情報を参照して使用者データベース１２３中で、当該識別情報に当たる使用者に関する情報を判読する。続いて、サーバー１２１は、使用者が加入した提携会社リストを抽出して、これを使用者端末機１１１で送る（２０５）。
【００１８】
本発明によれば、エージェントプログラム３０５とサーバー１２１はお互いに通信して、使用者端末機１１１が特定コンテンツを提供するウェッブサイトのサーバー１０５，１０７に接続した時間を測定するため、接続開始時点と接続終了時点を決める。このため、エージェントプログラム３０５とサーバー１２１は、各自のクロックを動機しておくことが望ましい。本発明の第１実施例によれば、エージェントプログラム３０５は、自分のクロック、またはエージェントプログラム３０５が実行されている端末機１１１のシステムクロックにより、設定された現在時間情報をサーバー１２１に送る。続いて、サーバー１２１は、エージェントプログラム３０５の現在時間情報を受信してサーバー１２１の現在時間と比べた後、その時間差に関する情報を記録して置く。サーバーは使用者端末機１１１から送信された使用者端末機１１１の現在時間に関する情報と、サーバー１２１のシステムクロックに基づいたサーバーの現在時間に関する情報に基づき、使用者端末機及びサーバー間の時差を計算して記録する。今後、サーバー１２１は、エージェントプログラムから接続開始時点や接続終了時点を送信された後、既記録されたサーバー１２１と、エージェントプログラム間の時間差情報に基づいて絶対的な接続時間を計算することができる。
【００１９】
本発明の第２実施例によれば、前記接続時間が使用者の端末機１１１で測定される。一般的に使用者の端末機１１１は、ローカルタイムを持っており、前記ローカルタイムは、使用者がコントロールし不可能なシステムカウンターである。前記第２実施例では、使用者の端末機１１１がサーバー１２１に前記システムカウンターを合わせてコンテンツを提供するウェッブサイトのサーバー１０５，１０７への接続開始時点と終了時点を測定し、この測定結果により、前記ウェッブサイトのサーバーに接続している時間を測定するようになる。前記接続開始時点は、サーバーへのログイン時点乃至ウェッブブラウザープログラム３０３の開始時点を基準にする。
【００２０】
使用者が、前記特定コンテンツを提供するウェッブサイトのサーバー１０５，１０７に滞留した情報、例えば、接続時間などのような情報はサーバー１２１に送信される。前記情報をサーバー１２１に送って記録する方法では、リアルタイムでイベント発生の時毎にサーバー１２１に送る方法と、レポート（ｒｅｐｏｒｔ）を集めて一度にサーバー１２１に送る方法がある。接続時間情報をサーバーに送るスケジュールは、トラフィックコントロールの観点で行われることが望ましい。但し、エージェントプログラム３０５のログアウトの際には、直ちにサーバー１２１に送るのが望ましい。
【００２１】
ウェッブブラウザープログラム３０３が実行される間には、エージェントプログラム３０５は、会員のウェッブサイトリストを常に参照することができる状態になる。また、ウェッブブラウザープラグインプログラムは、ウェッブブラウザープログラム３０３が接続する特定コンテンツを提供するウェッブサイトのサーバー１０５，１０７を監視し、これに関する情報をエージェントプログラムに送信する。エージェントプログラム３０５は、ウェッブブラウザープラグインプログラムから送信された特定コンテンツを提供するウェッブサイトのサーバー１０５，１０７に関する情報から、当該ウェッブサイトが会員のウェッブサイトリストに登録されたウェッブサイトか否かを判断する。
【００２２】
［特定ウェッブサイト接続］
使用者は、ウェッブブラウザーを通じてウェッブサイトリストに登録されたウェッブサイトの中で、特定コンテンツを提供するウェッブサイトのサーバー１０５に接続する（２０７）。
［使用者認証］
当該ウェッブサイトのサーバー１０５は、使用者側の端末機１１１上のウェッブブラウザーによる接続要請に対して、使用者認証をサーバーに要請する２０９。本発明の一実施例によれば、コンテンツを提供するウェッブサイトのサーバー１０５への使用者ログイン過程をサーバー１２１で処理するようにできる。本発明の他の実施例によれば、サーバー１２１に登録されているコンテンツを提供するウェッブサイトのサーバー１０５，１０７に対する使用者ログイン過程をサーバー２１２で一括的に処理するようにすることもできる。これをいわゆる「ウォンパス方法」と言う。以下では、サーバー１２１に加入したコンテンツを提供するウェッブサイトのサーバーの運営者を「提携会社」と称する。
【００２３】
続いて、サーバー１２１は、ウェッブブラウザーを通じて使用者認証過程を遂行する２１１。この際、ウェッブブラウザーは、別途の画面を開いてサーバー１２１が管理する使用者認証ページを表示することもでき、等しい画面に続いて表示することもできる。使用者は、ウェッブブラウザーを通じて使用者認証に必要な情報をサーバー１２１に送信する２１３。
サーバーは、使用者認証に必要な情報を送信され、ウェッブサイトデータベース１２５に記録された当該ウェッブサイトの加入会員リストを問い合わせして使用者が有効な加入会員か否かを判断する（２１５）。
【００２４】
［二重ログイン］
また、本発明によれば、使用者はエージェントプログラム３０５などを通じてサーバー１２１にログインして初めての認証を受け、提携会社のウェッブサイトのサーバーにログインする際に、使用者に見せない認証コードシステムを通じて正確な使用者であるのかをもう一度提携会社のウェッブサイトのサーバーとサーバー１２１の間で２次認証をする。このように、二重認証システムを利用するようになれば、ハッキングに露出しやすいインターネット環境で使用者個人の情報を最大限保護することができる。
【００２５】
図４は、本発明によるログインシステムの概念図である。前記図面に沿ってログイン過程を説明すると、次のようである。
使用者は、エージェントプログラム３０５などを通じて、サーバー１２１に接続する第１認証過程を開始する（４０１）。サーバー１２１へのログインが成功的に遂行されれば、サーバー１２１は、認証コードとして使われるようになる一種の乱数を自動的に生成する。前記認証コードは、一連番号形態で順次に生成されるのではなく、各々の使用者別接続環境、時間などによる様々な変数に基づいて生成され、認証コード内部には個人の身柄の情報を除いた情報が暗号化されることができる。認証コードは内部の認証コードアルゴリズムにより生成される。
【００２６】
前記認証コードは、使用者がサーバー１２１に接続する度に発生され、前記認証コードが複製されるか、流出されても使用者のアイディー、パスワード及び認証コード全部がＴＲＵＥである時にのみ、ログインが可能でこの中で一つでも一致しなければログインされない。
前述のように生成された認証コードは、使用者の端末機１１１に送信される（４０２）。次に、使用者が提携会社のサーバー１０５，１０７に接続するようになる（４０３）。使用者が提携会社のサーバーに接続すれば、暗号化された使用者のアイディー及び認証コードがサーバー１２１に送信されて二番目認証過程が要請される（４０４）。認証を要請受けたアイディーと認証コードに対する認証作業の後に、提携会社に使用者のログイン許可可否に対する情報が提供される（４０５）。最後にサーバー１２１から受けた情報に基づいてログインを許容するか、拒否するかが決まり、その結果が使用者の端末機１１１に送信される（４０６）。
【００２７】
前述の二重認証システムは、使用者の便宜のために使用者の作業が必要ではないようにバックグラウンドで自動に作業が成り立ち、このような二重認証システムによって使用者が不便を感じる事はない。
また、エージェントプログラム３０５が持っている認証コードの認証作業は、サーバー１２１で遂行され、提携会社のサーバーでは、使用者のアイディーと認証作業の結果値のみが送信されるので、本発明によるサービスを提供するサーバー１２１と、提携社間には使用者の個人情報流出問題が発生される恐れもない。
【００２８】
２．本発明によるウェッブサイト接続時間測定過程
図２の時系列図には、本発明の望ましい実施例により、使用者が端末機１１１を通じて、特定コンテンツを提供するウェッブサイトのサーバー１０５に接続した時間を測定するための方法の過程も図示されている。以下では、図２を参照して本発明により、使用者が特定コンテンツを提供するウェッブサイトのサーバーに接続した時間を測定する過程と、使用者端末機に設置されるエージェントプログラム及びプラグインプログラムの動作及びエージェントプログラムと、サーバーの管理プログラム間の通信過程を説明する。以下の説明で、使用者は、サーバー１２１に使用者登録過程を完了し、特定コンテンツを提供するウェッブサイトのサーバー１０５はウェッブサイト登録を完了したことと仮定する。
【００２９】
［接続開始時点記録］
使用者認証結果、使用者認証を要請したウェッブサイト１０５が使用者が予め登録した提携会社のウェッブサイトであることに判断される場合には、当該提携会社ウェッブサイトのサーバーに使用者がウェッブブラウザーを通じて接続を始めたことで報告、接続開始時点をサーバー１２１に記録する。
適切な接続開始時点を決める方法は、本発明の範囲内で多様な方案がありえる。
【００３０】
一実施例によれば、コンテンツを提供するウェッブサイトのサーバー１０５は、使用者の最初接続時点をサーバー１２１に知らせ、サーバーはこれを接続開始時点として記録することができる。具体的には、ウェッブブラウザープログラム３０３が、コンテンツを提供するウェッブサイトのサーバー１０５に含まれたアドレスで接続を試み、当該アドレスに当たるウェプページが、ウェッブブラウザープログラムが管理する表示画面に表示され始めた時点を接続開始時点とすることができる。
【００３１】
また、他の実施例によれば、サーバー１２１は、コンテンツを提供するウェッブサイトのサーバー１０５から使用者認証要請を受けた後、使用者認証が完了し、ウェッブブラウザーが特定ウェッブサイト１０５のコンテンツにアクセスが許容される時点を接続開始時点で記録することができる。具体的には、サーバー１２１は、コンテンツを提供するウェッブサイトのサーバー１０５からの接続者認証要求に応答して、接続者の認証過程を処理する過程をさらに含む。本実施例において、サーバー１２１はコンテンツを提供するウェッブサイトのサーバー１０５への接続者の認証過程処理が完了した時点を接続開始時点として記録する。
【００３２】
前述した本発明の第２実施例によれば、特定コンテンツを提供するウェッブサイトのサーバーへの接続開始時点が使用者の端末機１１１によって測定される。
使用者認証の結果、使用者認証を要請したウェッブサイト１０５が、使用者が予め登録した提携会社のウェッブサイトであることに判断される場合には、当該提携会社ウェッブサイトのサーバーに使用者がウェッブブラウザーを通じて接続を始めたことで報告、接続開始時点を使用者の端末機１１１で測定する。この際、測定する使用者端末機１１１のシステムカウンターは、サーバー時間に合わせられていることが望ましい。
【００３３】
または、ウェッブブラウザープログラム３０３が、コンテンツを提供するウェッブサイトのサーバー１０５に含まれたアドレスで接続を試み、当該アドレスに当たるウェプページがウェッブブラウザープログラムが管理する表示画面に表示され始めた時点を接続開始時点にすることもできる。
［接続終了時点記録］
以後、使用者が特定コンテンツを提供するウェッブサイトのサーバー１０５への接続を終了すれば、当該終了時点をサーバー１２１に記録する。
【００３４】
前述した第１実施例において、接続終了時点記録過程は次のようである。ウェッブブラウザープラグインプログラムは、ウェッブブラウザーの接続状態を監視しながら、ウェッブブラウザーのアドレス変更が発生する度に、これをエージェントプログラム３０５に送信する。エージェントプログラム３０５は、ウェッブブラウザーの接続ウェッブサイトサーバーのアドレスが変更されれば、変更されたアドレスが接続開始当時の提携会社のウェッブサイトサーバーに含まれたアドレスであるかを判断する。判断結果、変更されたアドレスが提携会社ウェッブサイトサーバーに含まれたアドレスではないと判断されれば、エージェントプログラムは接続が終わったと判断する（２１７）。そして、エージェントプログラム３０５は、当該接続が終わったことで決まった時点をサーバー１２１に知らせて（２１９）、サーバー１２１はこれを送信されて使用者データベース１２３に記録する。
【００３５】
前記のような一連の過程を通じて、サーバー１２１の提携会社リストには、当該会員が特定のウェッブサイトに接続を開始した時点と、接続を終了した時点がウェッブサイト別に記録されるようになる。
前述した本発明の第２実施例によれば、前記接続終了時点が使用者端末機１１１によって測定される。接続開始時点と同じくこの時にも接続終了時点を測定する使用者端末機１１１のシステムカウンターは、サーバー１２１時間に合わせられていることが望ましい。
【００３６】
［接続時間算定］
サーバー１２１は、前述したような一連の過程を通じて、端末機１１１が特定のウェッブサイト１０５に接続を開始した時点と、接続を終了した時点を各々の提携会社ウェッブサイトに対して累積することができる。続いて、接続開始時点と接続終了時点に基づいて接続時間を算定することができる。
前述したような第１実施例において、即ち、接続開始時点はサーバー１２１側のシステムクロックに応じて決めて、接続終了時点は端末機１１１のシステムクロックに応じて決める場合、サーバー１２１側と端末機１１１の間のローカル時間差を接続時間算定に反映する必要がある。即ち、本発明の一実施例によれば、サーバー１２１は、使用者端末機１１１から送信された使用者端末機１１１の現在時間に関する情報と、サーバーのシステムクロックに基づいたサーバーの現在時間に関する情報に基づき、使用者端末機１１１及びサーバー１２１の間の時差を計算して記録する段階をさらに含む。続いて、サーバーは、接続開始時点、接続終了時点、及び時差を利用し、端末機１１１が特定コンテンツを提供するウェッブサイトのサーバーに接続した時間を算定する。
【００３７】
前述したように、本発明によれば、使用者の端末機１１１に設置されたエージェントプログラム３０５が、使用者が利用したウェッブサイトのすべての情報をネットワークに影響を与えないでリアルタイムで測定、暗号化して保存する。
本発明の第２実施例によれば、使用者端末機１１１に記録された接続開始時点と接続終了時点に基づいて、特定コンテンツを提供するウェッブサイトのサーバーに対する滞留情報がサーバー１２１に送信される。送る方法では、リアルタイムでイベント（ｅｖｅｎｔ）発生の時毎にサーバー１２１で送る方法と、レポートを集めて一度にサーバー１２１に送る方法がありえる。しかし、エージェントプログラム３０５のログアウトの時には、滞留情報が直ちにサーバー１２１に送信されることが望ましい。
【００３８】
３．本発明の変形された実施例
本発明のまた他の実施例によれば、ウェッブブラウザーを通じてウェッブサイトに接続しないで、別途の専用プログラムを通じて特定ウェッブサイトに接続する場合に、当該専用プログラムを通じる接続時間を測定するための方法が提供される。本実施例は、前述した実施例と、大部分の動作及び処理過程は類似であるが、ウェッブブラウザープラグインプログラムの代りに、これに対応する他の手段が用意されることが望ましい。以下では、ウェッブブラウザープラグインプログラムの機能を遂行するための手段に関してさらに詳細に説明する。
【００３９】
本発明の一実施例によれば、オペレーティングシステム３０１の管理下に前記専用プログラムの起動を感知することができるリソースファイル（ｒｅｓｏｕｒｃｅ ｆｉｌｅ）を使うことができる。このようなリソースファイルは、オペレーティングシステム３０１の実行される間、参照が可能なファイルの形態で端末機に記録されていることが望ましい。また、当該リソースファイルとリンクされたプログラムの起動と共に起動する機能を持つ。従って、エージェントプログラムは、このようなリソースファイルの活性化を感知してリンクされた専用プログラムの起動可否を監視することができるのである。
【００４０】
例えば、マイクロソフト（Ｍｉｃｒｏｓｏｆｔ）（登録商標）社が開発したウィンドウズ（Ｗｉｎｄｏｗｓ）（登録商標）系列のオペレーティングシステムが、コンピューターに設置されて実行されている場合を説明する。当該オペレーティングシステムの管理下に特定のウェッブサイトに接続する機能を持つプログラムの起動及び特定ウェッブサイトへの接続を監視するリソースファイル、例えば、ｓｈａｒｅｄ．ｄｌｌと言う名称を持つリソースファイルを端末機に記録して置くことができる。
【００４１】
本発明の他の実施例によれば、既加入ウェッブサイトリストに含まれたコンテンツを、提供するウェッブサイトのサーバーへのログイン過程と、認証過程をサーバー１２１と、エージェントプログラム１１１が一括的に代行して処理するようにできる。即ち、サーバー１２１と、エージェントプログラム１１１が使用者のログイン過程と認証過程を１回遂行すれば、以後使用者が加入したウェッブサイトの中でサーバー１２１に登録されたウェッブサイトへの追加的なログイン過程と認証過程は必要なくなる。このような機能は、前述したようなウェッブサイト接続時間測定方法と共に前述したようなエージェントプログラムにより、実行されることができる。これは、本発明特有の効果である。
【００４２】
４．特定サイト遮断機能
本発明によれば、特定サイトのサーバーにアクセスすることを遮断する機能も提供される。サービス提供者の提携会社ではないとしても、エージェントプログラム３０５に別に設定されたサイトのサーバーに近付くことができないようにする方法が提供される。
前記方法によれば、特定人がエージェントプログラム３０５のパスワードを入力し、エージェントプログラム３０５にウェッブサイトのアドレスを入力することで、前記特定人以外の他人が前記入力されたウェッブサイトにアクセスすることが防止される。
【００４３】
図５は、前記特定サイト遮断機能を遂行するにおいて、ウェッブブラウザーとプラグイン及びエージェントプログラムの間の相互作用を図示した概念図である。
前記方法によれば、エージェントプログラム３０５に付加しているプラグインが、ウェッブブラウザーのサイトアドレスを感知した後、前記サイトアドレスが遮断対象として入力されているサイトである場合には、自動で警告画面に移るようになる。
【００４４】
図５を参照して上述の遮断方法を説明する。
使用者が、ウェッブブラウザーでウェッブサイトのアドレスを入力した場合に、プラグインがウェッブブラウザーのＵＲＬを感知する５０１。前記プラグインは、感知されたＵＲＬをエージェントプログラム３０５で送信する（５０２）。前記エージェントプログラム３０５は、エージェントプログラム３０５に遮断対象として既登録されているサイトのＵＲＬと、前記感知されたＵＲＬを備える。この際、感知されたＵＲＬが既登録されているＵＲＬと等しければ、警告ページＵＲＬで取り替え、両者が同一ではない場合には、当該のＵＲＬをリターンする。そして、エージェントプログラム３０５は、プラグインにＵＲＬ値を送信する５０３。次に、プラグインは、送信したＵＲＬ値を強制的に入力するようになる。従って、遮断対象としてエージェントプログラム３０５に登録されているウェッブサイトに接続する場合には、警告ページが現れるようになり、そうではない場合には、入力したウェッブサイトが正常に現れるようになる。
【００４５】
前記特定サイト遮断方法で、さらに成人コンテンツを制限する方法に対して説明することにする。
提携会社の中には、成人を対象にするコンテンツを含んでいるサイトがありえる。このような場合において、未成年者である子供などのアクセスを遮断するのが望ましい。提携会社は、使用者が提携会社のウェッブサイトに接続する場合、成人コンテンツを提供するのに先立ち、使用者が成人であるかを確認することができるチェック画面を開く。そして、提携会社は、成人コンテンツを提供するのに先立ち、Ａｃｔｉｖｅ−Ｘなどのプログラムを設置することが望ましい。
【００４６】
接続した使用者が成人である場合には、成人等級が付与されて未成年者である場合には、未成年等級が付与される。本実施例においては、成人等級を「Ａ」とし、未成年等級を「Ｃ」にする事にする。そして、ロック機能を設定することができるのに、ロック機能が設定されている場合を「Ｂ」とし、ロック機能が解除されている場合を「Ｄ」とする。ロック機能が設定されている場合には、ロックフィールドに値が設定される．（ロック：ｂ、解除：ｄ）
従って、ロック状態がＢ−ｄの場合は、前記成人ウェッブサイトのコンテンツを見ることが可能であり、ロック状態がＢ−ｄの場合には、前記成人ウェッブサイトのコンテンツを見られない。使用者がログアウトをするようになれば、前記状態は元々の基本値Ｂ−ｄで復帰する。
【００４７】
前記プロセスは、提携会社の成人ディレクトリの全段で作動するのが望ましい。使用者が、成人ディレクトリの内容に近付くようになれば、使用者の設定により、ページが移動され、前記ページに表示されるメッセージにより確認手続きを通すようになる。
図６は、前記実施例が適用されるデータベースの一例を図示したものである。図６で「Ａ」と「Ｂ」は成人を示し、「Ｃ」は未成年を示す。「Ａ」成人は、成人コンテンツページを見ることが可能であり、「Ｂ」成人は、成人コンテンツページを見られるが別途の認証過程を通さなければならない。そして、「Ｃ」は未成年者なので、成人コンテンツページを見られない。
【００４８】
使用者が、提携会社の成人コンテンツページにアクセスする場合、提携会社のサーバーに設置されているＡｃｔｉｖｅ−Ｘを呼び入れて成人情報を持って来る。Ａｃｔｉｖｅ−Ｘでリターンされる価格は、Ａｄｕｌｔ１の値が「Ａ」または「Ｃ」の場合には、Ａｄｕｌｔ１の値をリターンし、Ａｄｕｌｔ１の値が「Ｂ」の場合にはＡｄｕｌｔ２の値をリターンする。
リターンされる値が「Ａ」の場合に、提携会社は、成人コンテンツのページを開いてくれる。しかし、リターンされる値が「Ｃ」の場合には、未成年者なので、成人コンテンツのページが開かず「このコンテンツを利用することができません。」などのメッセージを表示する。リターンされる値が「Ｂ」の場合には、サーバー１２１の成人認証ページに移動して認証手続きを経って認証が成功すれば、Ａｄｕｌｔ２の値を「Ｂ」から「Ａ」に変更することで使用者が成人コンテンツの内容を見られるようにする。
【００４９】
前記等級は、サービス提供者のサーバー１２１に加入する際、記入するようになる個人識別番号に基づいて判断するようになっており、個人識別番号生成器などにより生成した虚偽の個人識別番号を用いた登録を防止するため、実名確認プロセスが加えられることもできる。そして、前記等級情報は、使用者の個人識別番号により、自動で更新することも可能である。即ち、最初加入当時には未成年者であったが、後に期間が経って成人になる場合に成人等級で自動更新することができる。そして、「Ａ」等級及び「Ｂ」等級は環境設定などを通じて随時に変更可能である。
【００５０】
５．ネットサーフィン時間制限機能
本発明によれば、使用者がネットサーフィンする時間を制限する方法も提供される。この方法によれば、特定時間帯を使うようにする機能と使用時間を制限する機能が同時に提供される。
図７は、前記方法を具現するロジックを図示した概路図である。以下図７を参照してネットサーフィン時間を制限する方法に対して説明する事にする。
まず、使用者がサービス提供者のサーバー１２１にログインするようになれば、サーバー１２１の時間を基準にして使用者の時間制限機能を遂行するようになる。プラグインは、ウェッブブラウザーの作動可否をモニタリングし、エージェントプログラム３０５に送る。エージェントプログラム３０５は、プラグインから送られたウェッブブラウザーの動作可否をサーバー１２１から持って来た時間と比べ、使用不可能な時間である場合には、プラグインに警告ページＵＲＬを送り、強制的にウェッブブラウザーを制御するようになる。
【００５１】
前記警告ページには、パスワードを入力するようにする画面があり、日時止まりの機能も含まれる。
６．附加機能
本発明によれば、本発明の本質的な部分を構成することはないが、以下で分かるように、様々な附加機能が提供される。例えば、前記エージェントプログラム３０５を利用し、使用者にニュース、証券情報、イベント情報、広告乃至告知事項を知らせる機能を遂行するように構成することもできる。また、使用者が記入した使用者情報に基づき、年歳及び性別による具体的な条件により、個別的なオーダーメード情報及び広告を提供するようにすることもできる。
【００５２】
【発明の効果】
本発明によれば、多数のウェッブサイトに対して使用者の実際接続時間により、合理的な課金することができる方法が提供される。
具体的には、多様なウェッブサイトに使用者の接続回収のみでなく、使用者各々の接続時間と接続時点を測定するのが可能である。究極的には、このような情報に基づき、使用者たちのウェッブサイト接続習慣や接続頻度に関してより高級化されて価値ある情報を再加工することが可能である。
【００５３】
そして、二重ログインを通じてハッキングにさらされる恐れなしに安全にログインができ、ウェッブサイトの接続時間を制限するか、成人コンテンツを提供する特定サイトに対して接近を遮断することができる効果も提供される。
【図面の簡単な説明】
【図１】
本発明によるインターネット上の特定コンテンツを提供するウェッブサイトのサーバーへの接続時間測定方法を適用するための通信環境を図示したブロック図。
【図２】
本発明の望ましい実施例により、使用者が端末機を通じて、特定コンテンツを提供するウェッブサイトのサーバーに接続した時間を測定するための方法の過程を図示した時系列図。
【図３】
本発明によるエージェントプログラム及びウェッブブラウザープラグインプログラムが使用者側の端末機で実行される際、オペレーティングシステム（ＯＳ）及びウェッブブラウザープログラムとの命令体系を図示した体系図。
【図４】
本発明によるログインシステムの概念図。
【図５】
本発明による特定サイト遮断過程を図示した概念図。
【図６】
本発明による成人コンテンツ遮断過程の一例を説明する図面。
【図７】
本発明によるウェッブサーフィン時間を制限する過程を図示した概念図。
【符号の説明】
３０１：オペレーティングシステム
３０３：ウェッブブラウザープログラム
３０５：エージェントプログラム
３０７：ウェッブブラウザープラグインプログラム
【図１】
2004519777.tif 000003
【図２】
2004519777.tif 000004
【図３】
2004519777.tif 000005
【図４】
2004519777.tif 000006
【図５】
2004519777.tif 000007
【図６】
2004519777.tif 000008
【図７】
2004519777.tif 000009
【国際公開パンフレット】
2004519777.tif 000010
2004519777.tif 000011
2004519777.tif 000012
2004519777.tif 000013
2004519777.tif 000014
2004519777.tif 000015
2004519777.tif 000016
2004519777.tif 000017
2004519777.tif 000018
2004519777.tif 000019
2004519777.tif 000020
2004519777.tif 000021
2004519777.tif 000022
2004519777.tif 000023
2004519777.tif 000024
2004519777.tif 000025
2004519777.tif 000026
2004519777.tif 000027
2004519777.tif 000028
2004519777.tif 000029
2004519777.tif 000030
2004519777.tif 000031
2004519777.tif 000032
2004519777.tif 000033
2004519777.tif 000034
2004519777.tif 000035
2004519777.tif 000036
2004519777.tif 000037
2004519777.tif 000038
2004519777.tif 000039
2004519777.tif 000040
2004519777.tif 000041
2004519777.tif 000042
2004519777.tif 000043
2004519777.tif 000044
2004519777.tif 000045
2004519777.tif 000046
【国際調査報告】
2004519777.tif 000047